(57)【要約】【課題】システムスローダウン等の不具合の発生段階において、適切なタイミングのログを保存可能な医用画像診断装置を提供すること。【解決手段】情報処理部４は、被検体から収集したデータに関する情報処理を含む医療検査に係る、情報処理を実行する。ログ発生部６は、情報処理部４による情報処理のログを発生する。予測部７−１は、情報処理部４により実行される情報処理の条件に基づいて、情報処理にかかる予測時間を求める。計測部１０は、情報処理部４により実行された情報処理に実際にかかった実時間を計測する。検知部７は、予測時間と実時間との比較結果に基づいて、ログの保存タイミングを検知する。ログ保存部９は、発生されたログを保存する。【選択図】図１
2015228104.tif 000002
【特許請求の範囲】
【請求項１】
被検体から収集したデータに関する情報処理を含む医療検査に係る、情報処理を実行する処理部と、
前記処理部による情報処理のログを発生する発生部と、
前記処理部により実行される情報処理の条件に基づいて、前記情報処理にかかる予測時間を求める予測部と、
前記処理部により実行された前記情報処理に実際にかかった実時間を計測する計測部と、
前記予測時間と前記実時間との比較結果に基づいて、ログの保存タイミングを検知する検知部と、
前記発生されたログを保存する保存部と、
を具備する医用画像診断装置。
【請求項２】
前記検知部は、前記実時間が前記予測時間を上回る又は下回るという比較結果に基づいてログの保存タイミングを決定し、
前記保存部は、前記発生されたログのうちの前記保存タイミングから所定の時間遡った時点までの期間のログを保存する、請求項１記載の医用画像診断装置。
【請求項３】
前記ログの保存タイミングは、ログの保存開始のタイミングとログの保存頻度とを含む、請求項１記載の医用画像診断装置。
【請求項４】
前記保存部は、前記期間のログの発生時刻、患者名、検査番号、撮像シーケンスを関連付けて保存する、請求項１記載の医用画像診断装置。
【請求項５】
前記ログはＣＰＵ使用率である、請求項１記載の医用画像診断装置。
【請求項６】
前記ログは操作画面である、請求項１記載の医用画像診断装置。
【請求項７】
被検体から収集したデータに関する情報処理を含む医療検査に係る、情報処理を実行する処理部と、
前記処理部による情報処理のログの保存タイミングを検知するための条件を関連付けて記憶する記憶部と、
前記処理部による情報処理のログを発生する発生部と、
前記実行された情報処理と前記記憶部に記憶された情報処理の種類に応じた条件とを照合して、ログの保存タイミングを検知する検知部と、
前記繰り返し発生されたログのうちのログの検知された保存タイミングを基準とする期間のログを保存する保存部と、
を具備する医用画像診断装置。
【請求項８】
前記検知部は、前記実行された情報処理の前記情報処理の種類に応じた条件への適合が判定されたことを契機として、ログの保存タイミングを検知する、請求項７記載の医用画像診断装置。
【請求項９】
前記条件は、前記情報処理について、所定回数しか実施されないはずの所定の処理項目に対して前記所定回数より多い回数の実行指示がなされることであり、
前記検知部は、前記実行された情報処理と前記記憶部に記憶された条件とを照合して、前記実行された情報処理の前記条件への適合を検知し、
前記保存部は、前記繰り返し発生されたログのうちの前記適合が検知された時点から所定の時間遡った時点までの期間のログを保存する、請求項７記載の医用画像診断装置。
【請求項１０】
検査画面と検査登録画面とを切り替え表示可能な表示部をさらに備え、
前記条件は、前記表示部が前記検査画面を表示していることであり、
前記保存部は、検査画面が表示されている間の前記繰り返し発生されたログを保存する、請求項７記載の医用画像診断装置。
【発明の詳細な説明】
【技術分野】
【０００１】
本発明の実施形態は、医用画像診断装置に関する。
【背景技術】
【０００２】
病院等において医用画像診断装置が使用されている。医用画像診断装置に明示的な誤動作（エラー）が生じた場合にログが保存される。
【０００３】
しかし、いずれかのソフトウェア又はハードウェアが明示的にエラーを発生していない場合でも、装置の情報処理の速度が落ちるシステムスローダウン等、エラーには至らない事象（以下、不具合と呼ぶ）が発生することもある。その場合、ログを保存するための的確なトリガーを設けることは困難である。
【先行技術文献】
【特許文献】
【０００４】
【特許文献１】特開２００９−１１０２８１号公報
【発明の概要】
【発明が解決しようとする課題】
【０００５】
目的は、システムスローダウン等の不具合の発生段階において、適切なタイミングのログを保存可能な医用画像診断装置を提供することにある。
【課題を解決するための手段】
【０００６】
本実施形態に係る医用画像診断装置は、被検体から収集したデータに関する情報処理を含む医療検査に係る、情報処理を実行する処理部と、前記処理部による情報処理のログを発生する発生部と、前記処理部により実行される情報処理の条件に基づいて、前記情報処理にかかる予測時間を求める予測部と、前記処理部により実行された前記情報処理に実際にかかった実時間を計測する計測部と、前記予測時間と前記実時間との比較結果に基づいて、ログの保存タイミングを検知する検知部と、前記発生されたログを保存する保存部と、を具備する。
【図面の簡単な説明】
【０００７】
【図１】本実施形態に係る医用画像診断装置の構成を示す図。
【図２】本実施形態に係るログ保存の典型的な流れを示す図。
【図３】本実施形態に係る情報処理の種類と検知条件とを関連付けた検知テーブルの一例を示す図。
【図４】本実施形態に係る適合が検知された場合のログ保存の一例を示す図。
【図５】本実施形態に係るＭＲＩ装置の撮像設定画面の一例を示す図。
【図６】図１の表示部による検査画面と検査登録画面との切り替えを示す図。
【図７】応用例に係るログへの情報の関連付けの一例を示す図。
【発明を実施するための形態】
【０００８】
以下、図面を参照しながら実施形態に係る医用画像診断装置を説明する。なお、以下の説明において、略同一の機能及び構成を有する構成要素については、同一符号を付し、重複説明は必要な場合にのみ行う。
【０００９】
図１は、本実施形態に係る医用画像診断装置１の構成を示す図である。医用画像診断装置１は、情報処理装置２と撮像機構３とを有する。
【００１０】
情報処理装置２は、情報処理部４と、記憶部５と、ログ発生部６と、検知部７と、ログ記録部８と、ログ保存部９と、計測部１０と、入力部１１と、表示部１２と、インターフェース部１３と、撮像制御部１４と、システム制御部１５と、を有する。
【００１１】
情報処理部４は、被検体から収集したデータに関する情報処理を含む医療検査に係る情報処理を実行する。情報処理部４は、再構成部４−１、画像転送部４−２、画像処理部４−３、操作信号処理部４−４、表示処理部４−５を有する。再構成部４−１は、撮像機構３からの生データに基づいて、画像を再構成する。画像転送部４−２は、画像を、インターフェース部１３を介してネットワーク上の図示していないＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）や他のコンピュータに転送する。画像処理部４−３は、画像に対して、レンダリング、コントラスト処理、周波数処理、ダイナミックレンジ処理、ノイズ低減処理等の後処理を行う。操作信号処理部４−４は、操作者により入力部１１の操作に応じて発生する操作信号を処理し、当該操作に応じた処理を実行する。表示処理部４−５は、表示部１２に各種の情報を表示するための処理をする。
【００１２】
記憶部５は、医療検査に係る複数の情報処理の種類各々について、情報処理部４による情報処理に関するログの保存タイミングを検知するための条件（以下、検知条件と呼ぶ）を関連付けたＬＵＴ（Ｌｏｏｋｕｐ  Ｔａｂｌｅ）を記憶する。以下、このＬＵＴを検知テーブルと呼ぶことにする。また、記憶部５は、種々のデータを記憶する。例えば、記憶部５は、再構成部４−１で発生された画像を記憶する。
【００１３】
ログ発生部６は、情報処理部４による情報処理のログを発生する。発生されるログの種類は、例えば、情報処理部４のＣＰＵ使用率やメモリ使用率、医療検査或いはレポート作成に用いられるアプリケーションのプロセス、その他各種プロセス等のログ、又は表示部１２に表示される操作画面等である。発生されるログの種類は、操作者により任意に選択可能である。
【００１４】
ログ記録部８は、ログ発生部６によって発生されたログを即時的にＦＩＦＯ（Ｆｉｒｓｔ  Ｉｎ  Ｆｉｒｓｔ  Ｏｕｔ）形式で記録する。より詳細には、ログ記録部８の記録容量の空きが無い場合、最古のログが削除され、最新のログが記録される。ログの記録容量は、例えば、ログの種類やハードウェア構成により制限されている。各ログは、発生時刻に関連付けて時系列で記録される。
【００１５】
検知部７は、情報処理部４により実行された情報処理と記憶部５に記憶された情報処理の種類のうちの当該情報処理の種類に応じた検知条件とを照合して、ログ発生部６により繰り返し発生されているログのログ保存部９への保存タイミングを検知する。検知部７は、例えば、情報処理部４により実行された情報処理にかかる予測時間と実際にかかった実行時間との比較結果に基づいて、ログの保存タイミングを検知する。その際、検知部７は、予測部７−１を有する。予測部７−１は、情報処理部４により実行される情報処理の条件に基づいて、情報処理にかかる予測時間を求める。
【００１６】
ログ保存部９は、ログ発生部６により繰り返し発生されたログのうちの、検知部７により検知された保存タイミングを基準とする期間のログをファイル形式で保存する。以下、保存されたログをログファイルと呼ぶ。ログ保存について、詳細は後述する。
【００１７】
計測部１０は、処理部により実行された前記情報処理に実際にかかった実行時間を計測する。計測された実行時間は、検知部７による検知条件の検知等に使用される。予測時間について、詳細は後述する。
【００１８】
入力部１１は、操作者が所望する各種指示、命令、情報、選択、設定等の操作信号を発生する。入力部１１は、発生された各種指示、命令、情報、選択、設定等をシステム制御部１５に入力する。
【００１９】
表示部１２は、種々の情報をモニタに表示する。表示部１２は、例えば、検査登録画面や検査画面を表示する。また、表示部１２は、再構成部４−１により発生された画像を表示する。
【００２０】
撮像制御部１４は、撮像条件に従い、撮像機構３を制御し、撮像機構３に撮像を行わせる。具体的には、撮像制御部１４は、撮像機構３に撮像シーケンスを送信し、撮像機構３に撮像を行わせる。撮像機構３は、医用画像診断装置１のモダリティ種に応じて異なる構成を有する。モダリティ種の一例として、本実施形態の説明では磁気共鳴イメージング（Ｍａｇｎｅｔｉｃ  Ｒｅｓｏｎａｎｃｅ  Ｉｍａｇｉｎｇ：以下ＭＲＩと呼ぶ）装置を用いて説明するが、Ｘ線診断装置、Ｘ線コンピュータ断層撮影（Ｃｏｍｐｕｔｅｄ  Ｔｏｍｏｇｒａｐｈｙ：ＣＴ）、超音波診断装置、核医学診断装置（例えば、陽電子放出コンピュータ断層撮影（Ｐｏｓｉｔｒｏｎ  Ｅｍｉｓｓｉｏｎ  Ｃｏｍｐｕｔｅｄ  Ｔｏｍｏｇｒａｐｈｙ：ＰＥＴ）装置、単光子放出コンピュータ断層撮影（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ：以下、ＳＰＥＣＴと呼ぶ）装置）等でも良い。
【００２１】
システム制御部１５は、医用画像診断装置１の中枢として機能する。システム制御部１５は、医用画像診断装置１に含まれる各構成要素を統括的に制御し、本実施形態に係る各種動作を実現する。
【００２２】
以下、本実施形態に係る医用画像診断装置１の動作例について詳細に説明する。
【００２３】
まず、図２を参照しながら、本実施形態におけるログ保存の一連の動作例を説明する。図２は、本実施形態に係るログ保存の典型的な流れを示す図である。ログ発生部６は、情報処理部４により情報処理が行われている間、情報処理部４による情報処理に関するログを繰り返し発生しているものとする。発生されたログは、ログ記録部８に即時的にＦＩＦＯ形式で記録される。ログ記録部８の記録容量の空きが無い場合、最古のログが削除され、最新のログが記録される。
【００２４】
まず、システム制御部１５は、情報処理部４により情報処理を開始させる（ステップＳ１）。情報処理部４は、操作者により入力部１１を介した指示に従う処理、又は撮像シーケンスに組み込まれた上述の各種情報処理を実行する。
【００２５】
ステップＳ１が行われると、システム制御部１５は、検知部７により、実行された情報処理が検知条件に適合するか否かを判定する（ステップＳ２）。ステップＳ２においてシステム制御部１５は、検知部７により、実行された情報処理と記憶部５に記憶された検知テーブルにおける当該情報処理に対応する複数の検知条件とを照合し、実行された情報処理が当該検知条件に適合するか否かを判定する。
【００２６】
ステップＳ２において、実行された情報処理が何れの検知条件にも適合しないと判定した場合（ステップＳ２：ＮＯ）、システム制御部１５は、ログ保存部９に保存することなく処理を終了する。
【００２７】
ステップＳ２において、実行された情報処理が検知条件に適合すると判定されると（ステップＳ２：ＹＥＳ）、システム制御部１５は、ログ保存部９により、繰り返し発生されたログのうちの適合が検知された時点を基準とする期間のログを保存する（ステップＳ３）。以上が本実施形態におけるログ保存の一連の動作例である。
【００２８】
次に、ログ保存の具体例について説明する。図３は、本実施形態に係る情報処理の種類と検知条件とを関連付けた検知テーブルの一例を示す図である。情報処理の種類には、画像再構成、画像転送、画像後処理、操作信号処理、表示等がある。画像再構成は、再構成部４−１が、撮像機構３からの生データに基づいて、画像を再構成する処理である。画像転送は、画像転送部４−２が、画像を、インターフェース部１３を介してネットワーク上の図示していないＰＡＣＳや他のコンピュータに転送する処理である。画像後処理は、画像処理部４−３が、画像に対して、レンダリング、コントラスト処理、周波数処理、ダイナミックレンジ処理、ノイズ低減処理等の後処理を行う処理である。操作信号処理は、操作信号処理部４−４が、操作者により入力部１１の操作に応じて発生する操作信号を処理し、当該操作に応じた処理である。表示は、表示処理部４−５が、表示部１２に各種の情報を表示するための処理である。
【００２９】
また、図３に示すように、計測された情報処理にかかった時間が当該情報処理の予測時間を上回るという検知条件が設けられる。例えば、情報処理の種類が画像再構成の場合、例えば、計測部１０により計測された再構成部４−１による画像再構成の実行時間が、予測時間を上回るという検知条件が設けられる。情報処理の種類が画像転送の場合、例えば、計測部１０により計測された画像転送部４−２による画像転送の実行時間が、予測時間を上回るという検知条件が設けられる。情報処理の種類が画像後処理の場合、例えば、計測部１０により計測された画像処理部４−３による画像後処理の実行時間が、予測時間を上回るという検知条件が設けられる。以上のように、実行時間と予測時間との比較によりログの保存のタイミングを決定する検知条件を、以下、予測時間に基づく検知条件と呼ぶ。なお、計測された情報処理にかかった時間が、予測時間を下回るという検知条件が設けられても良い。また、計測された情報処理にかかった時間が、予測時間に基づくマージン範囲を上回る又は下回るという検知条件が設けられても良い。
【００３０】
また、図３に示すように、所定回数しか実施されないはずの所定の処理項目に対して、所定回数より多い回数の実行指示がなされるという検知条件が設けられる。具体的には、画質調整用の撮像指示が複数回実行されるという検知条件が設けられる。表示画面上の同一箇所で一定時間内に複数回クリックが実行されるという検知条件が設けられる。以下、情報処理の実施回数と予定回数との比較によりログの保存のタイミングを決定する検知条件を、実施回数に基づく検知条件と呼ぶ。
【００３１】
他にも、図３に示すように、表示部１２に検査画面が表示されているという検知条件等が設けられる。
【００３２】
以下、各々の検知条件における検知部７の動作例について説明する。
【００３３】
まず、図３にある画像再構成の例を用いて、予測時間に基づく検知条件の場合の検知部７の動作例を説明する。操作者により入力部１１を介して撮像開始指示が入力されると、再構成部４−１は、撮像において撮像機構により収集された生データに画像再構成を施す。再構成部４−１により画像再構成が開始されたことを契機として、計測部１０は、画像再構成の実行時間の計測を開始する。画像再構成が完了すると、計測部１０は実行時間の計測を終了する。実行時間は画像再構成の開始時刻から終了時刻までの時間に規定される。検知部７は、計測部１０により計測された画像再構成の実行時間と、画像再構成の予測時間とを比較する。画像再構成の予測時間の計算については後述する。
【００３４】
画像再構成を例に、予測時間の計算方法を説明する。画像再構成の予測時間は、予測部７−１により、例えば、当該撮像で取得される画像のサイズに基づいて計算される。画像のサイズは、撮像条件（枚数、分解能等）から算出される。具体的には、予測部７−１は、単位当たりの再構成時間をＴ＿ｕｎｉｔと定義する。予測部７−１は、単位マトリックス（画像分解能）及び撮像枚数からＴ＿ｕｎｉｔを計算する。例えば、単位マトリックスは６４×６４、撮像枚数は１とすると、Ｔ＿ｕｎｉｔは、単位マトリックス６４×６４、撮像枚数１の再構成にかかる時間を意味する。Ｔ＿ｕｎｉｔは、医用画像診断装置１の種類及び性能に依存する。予測部７−１は、画像再構成の予測時間Ｔ＿ｔｏｔａｌを、上記にて決定されたＴ＿ｕｎｉｔに基づいて、下記の式により計算する。
【００３５】
Ｔ＿ｔｏｔａｌ＝Ｔ＿ｕｎｉｔ×マトリックス係数×撮像枚数
ここで、予測部７−１は、実際のマトリックスを単位マトリックスで除することによりマトリックス係数を計算する。
【００３６】
検知部７が、画像再構成の実行時間が予測時間を上回るという検知条件に適合すると判定した場合、ログ保存部９はログファイルを保存する。検知部７が、画像再構成の実行時間が予測時間を上回るという検知条件に適合しないと判定した場合、ログ保存部９はログファイルを保存しない。図４は、本実施形態に係る適合が検知された場合のログ保存の一例を示す図である。適合が検知された場合、ログ保存部９は、ログ記録部８に記録されているログのうちの、その時点から所定の時間遡った時点までの期間のログを保存する。なお、ログ保存部９は、適合が検知された時点にログ記録部８に記録されている全てのログを保存しても良い。検知タイミングから所定の時間遡ってログを保存することにより、システムスローダウン等の不具合に至る過程に発生されたログを保存することができる。そのため、検知するタイミングのログのみを保存する場合に比べ、より詳細に不具合の原因を解析できる。
【００３７】
また、ログの保存は複数回なされる場合もある。ログの保存タイミングは、ログの保存開始のタイミングとログの保存頻度とを含む。具体的には、例えば画像再構成の際、図３の検知条件として、画像再構成１枚分の実行時間が予測時間を上回るという検知条件が設定される。この場合、検知部７は、画像再構成を１枚行う毎に検知条件に適合するか否かを判定する。検知部７が、画像再構成１枚分の実行時間が予測時間を上回るという検知条件に適合すると判定した場合、ログ保存部９はログファイルを保存する。検知部７が、画像再構成の実行時間が予測時間を上回るという検知条件に適合しないと判定した場合、ログ保存部９はログファイルを保存しない。なお、画像再構成１０枚分の実行時間が予測時間を上回るという検知条件の場合、検知部７は、画像再構成を１０枚行う毎に検知条件に適合するか否かを判定する。
【００３８】
なお、予測時間は撮像条件によって変化する。予測時間が変化する撮像条件の場合、検知部７は、基本の予測時間に係数を乗じることにより、予測時間を再定義する。例えば、高精細再構成設定の場合、マトリックス係数は２ｎ倍となり、予測時間は２ｎ倍となる。折り返し防止設定の場合、マトリックス係数は折り返し防止設定倍となり、予測時間は折り返し防止設定倍となる。ダイナミック撮像の場合、予測時間は繰り返し回数倍となる。積算設定の場合、予測時間は積算回数倍となる。
【００３９】
なお、ＭＲＩ装置による撮像において、Ｔ＿ｔｏｔａｌの概念が使用できない場合がある。具体的には、Ｔ＿ｕｎｉｔが通常のＴ＿ｕｎｉｔよりも長い３Ｄ撮像法や、画像の再構成方法が基本のものとは全く異なるＭＲスペクトロスコピー撮像法等である。その場合、検知部７は、当該撮像に応じた方法で予測時間を計算する。或いは、検知部７は、他の検知条件を設定する。
【００４０】
また、画像転送の場合は、操作者により入力部１１を介して画像転送のスタート指示が入力されると、画像転送部４−２は、転送対象の画像の転送処理を開始する。計測部１０は、画像転送の実行時間の計測を開始する。画像転送が完了すると、検知部７は、計測部１０により計測された画像転送の実行時間と、転送対象画像の画像サイズに基づいて計算された画像転送の予測時間とを比較する。画像後処理の場合は、操作者により入力部１１を介して画像後のスタート指示が入力されると、画像処理部４−３は、後処理対象の画像の後処理を開始する。計測部１０は、画像後処理の実行時間の計測を開始する。画像後処理が完了すると、検知部７は、計測部１０により計測された画像後処理の実行時間と、対象画像の画像サイズ及び処理内容に基づいて計算された画像後処理の予測時間とを比較する。
【００４１】
次に、図３にある操作信号処理の例を用いて、実施回数に基づく検知条件の場合の検知部７の動作例を説明する。図５は、本実施形態に係るＭＲＩ装置の撮像設定画面の一例を示す図である。操作者により入力部１１を介してスタートボタンが押下されると、情報処理部４は、選択された撮像シーケンスの実行指示を撮像制御部１４に通知する。ＭＲＩ装置の撮影シーケンスにおいて画像調整用の撮像（図５のＭＡＰとＳｈｉｍｍｉｎｇ）は、通常一度しか実施されない。二度実施される場合、何らかの不具合が生じたと推測される。そのため、所定回数しか実施されないはずの所定の処理項目に対して、所定回数より多い回数の実行指示がなされるという検知条件が設定される。検知部７は、設定を図における操作信号処理部４−４による操作信号の処理とレンダリングと、入力部１１を介して選択された処理項目の実行指示が、既定の実施回数以上なされることを検知する。具体的には、検知部７が、撮影シーケンスの中でＭＡＰ又はＳｈｉｍｍｉｎｇのうち少なくとも一方の撮像指示が二回以上入力されたと検知した場合、ログ保存部９は、その時点から所定の時間遡った時点までの期間のログを保存する。例えば、ログ保存部９は、図４に示すように、撮影シーケンスの中でＭＡＰ又はＳｈｉｍｍｉｎｇの撮像が撮像シーケンスの中にある状態で、操作者により入力部１１を介してＭＡＰ又はＳｈｉｍｍｉｎｇを選択してコピーボタンが押下されると、ログ保存部９は、当該時点にログ記録部８に記録されているログを保存する。検知部７が、撮影シーケンスの中でＭＡＰ又はＳｈｉｍｍｉｎｇの何れの撮像指示も一回までしか入力されないと判定した場合、ログ保存部９はログファイルを保存しない。
【００４２】
また、図３にある表示の例を用いて、表示に基づく検知条件の場合の検知部７の動作例を説明する。図６は、表示部１２による検査画面と検査登録画面との切り替えを示す図である。撮像開始前において表示処理部４−５は、検査登録画面を表示部１２に表示する。検査登録画面が表示されている間、患者の確認等が行われる。即ち、検査登録画面が表示されている間、操作者により医用画像診断装置１が操作される可能性が低い。検査条件の登録が終わり検査の準備が整うと、操作者は、入力部１１を介して検査開始の指示を入力する。検査開始の指示が入力されると、表示処理部４−５は、表示部１２に表示されている検査登録画面を検査画面に切り替える。即ち、表示部１２が検査画面であるということは、患者が架台の中に入っていると推定される。
【００４３】
検知部７は、情報処理部４による表示部１２への表示処理をモニタリングし、表示部１２に検査画面が表示されていることを検知する。上記検知を契機として、ログ保存部９は、ログ保存を開始する。ログ保存部９は、繰り返しログ保存を実行する。検知部７が、表示部１２に検査画面が表示されていないと判定した場合、ログ保存部９はログファイルを保存しない。
【００４４】
検査が終わると、表示処理部４−５は、表示部１２の検査画面を検査登録画面に切り替える。検知部７は、表示部１２に検査画面が表示されていないことを検知する。上記検知を契機として、ログ保存部９は、ログ保存を終了する。以上の検知条件により、ログ保存部９は、検査画面の表示中、即ち不具合が起きそうな期間に限定してログを保存することができる。
【００４５】
即ち、表示に基づく検知条件の場合、患者が架台の中に入り情報処理部４が情報処理を行う期間のみ、ログ保存部９は、繰り返しログ保存を行う。なお、ログ保存部９は、図４のようなログ保存方法ではなく、ログ発生部６により繰り返し発生されたログを即時的に保存しても良い。
【００４６】
上記のとおり、本実施形態に係る医用画像診断装置１によれば、情報処理に関するログの保存タイミングを検知するための検知条件を関連付けて記憶する。実行された情報処理の検知条件への適合を検知し、適合が検知されたタイミングでログを保存することができる。かくして、本実施形態に係る医用画像診断装置１は、システムスローダウン等の不具合の発生段階において、適切なタイミングのログを保存することができる。
【００４７】
（応用例）
応用例は、上記実施形態の図３における情報処理の種類が表示のときのログの保存例である。応用例においては、上記実施形態に追加して、ログ保存部９は、ログの発生時刻、患者名、検査番号、撮像シーケンス等をログに関連付けて保存する。即ち、操作者は、医用画像診断装置１に不具合が発生したと思われる時刻周辺のログを、検査の後で切り出し、参照可能となる。図７は、応用例に係るログへの情報の関連付けの一例を示す図である。検知部７は、表示部１２に検査画面が表示されていることを検知する。検知部７が検知すると、ログ保存部９は、ログ発生部６が発生したログを即時的に保存する。ログ保存部９は、繰り返しログ保存を実行する。ログ保存部９は、検査開始のタイミングで患者名や検査番号をログに関連付ける。ログ保存部９は、スキャン開始のタイミングでシーケンスの識別番号をログに関連付ける。ログ保存部９は、ログ保存のタイミングでログの発生時刻をログに関連付ける。
【００４８】
検査が終了した後、ログに関連付けたタグによるログの切り出しが可能となる。具体的には、操作者は入力部１１を介して、ログの発生時刻、患者名、検査番号、撮像シーケンス等のタグを入力する。タグの入力を受けて、表示処理部４−５は、当該タグが付与されたログをまとめて切り出す。切り出されたログは、ログファイルとして保存可能である。
【００４９】
上記のとおり、操作者は、医用画像診断装置１に不具合が発生したと思われる時刻周辺のログを検査の後で切り出し、参照することが可能となる。かくして、応用例に係る医用画像診断装置１は、システムスローダウン等の不具合の発生段階において、適切なタイミングのログを保存することができる。
【符号の説明】
【００５０】
１…医用画像診断装置、２…情報処理装置、３…撮像機構、４…情報処理部、５…記憶部、６…ログ発生部、７…検知部、８…ログ記録部、９…ログ保存部、１０…計測部、１１…入力部、１２…表示部、１３…インターフェース部、１４…撮像制御部、１５…システム制御部
【図１】
2015228104.tif 000003
【図２】
2015228104.tif 000004
【図３】
2015228104.tif 000005
【図４】
2015228104.tif 000006
【図５】
2015228104.tif 000007
【図６】
2015228104.tif 000008
【図７】
2015228104.tif 000009